(57)【要約】【課題】本発明が解決しようとする課題は、強度の高い照明器具を提供することである。【解決手段】本発明の実施形態は、光源部と、前記光源部の背面側に設けられる本体と、前記本体の側面に対向して設けられる一対の側板部を有するアームと、前記本体よりも背面側かつ前記アームの一対の側板部間に亘って接続される電源部とを有する。【選択図】図１
2019029214.tif 000002
【特許請求の範囲】
【請求項１】
光源部と；
前記光源部の背面側に設けられる本体と；
前記本体の側面に対向して設けられる一対の側板部を有するアームと；
前記本体よりも背面側かつ前記アームの一対の側板部間に亘って接続される電源部と；
を有する照明器具。
【請求項２】
前記電源部の前記一対の側板部間方向の長さは、前記一対の側板部間の長さと同じである請求項１に記載の照明器具。
【請求項３】
前記側板部は、前記電源部が接続される電源接続部を有し、
前記電源接続部は、前記電源部の最も広い面積を有する面である主面と平行な線上に２箇所以上設けられる請求項１または２に記載の照明器具。
【請求項４】
前記一対の側板部はそれぞれ幅の狭まる部位である狭部を有し、
前記電源部の側面は、前記側板部側の側面から見て少なくとも一部が前記狭部と重なる
請求項１ないし３いずれかに記載の照明器具。
【発明の詳細な説明】
【技術分野】
【０００１】
本発明の技術分野は、照明器具に関する。
【背景技術】
【０００２】
従来、体育館などに設置される高天井器具などの照明器具は、天井に施工された状態で振動や外部からの衝撃（ボールの衝突など）に耐え得る強度が求められていた。
【先行技術文献】
【特許文献】
【０００３】
【特許文献１】特開２０１３−００７３９４号公報
【発明の概要】
【発明が解決しようとする課題】
【０００４】
本発明が解決しようとする課題は、軽量かつ強度の高い照明器具を提供することである。
【課題を解決するための手段】
【０００５】
本発明の実施形態は、光源部と、前記光源部の背面側に設けられる本体と、前記本体の側面に対向して設けられる一対の側板部を有するアームと、前記本体よりも背面側かつ前記アームの一対の側板部間に亘って接続される電源部とを有する。
【発明の効果】
【０００６】
本発明によれば、部品を追加することなく安価な方法で軽量かつ強度の高い照明器具を提供することが期待できる。
【図面の簡単な説明】
【０００７】
【図１】本発明の実施形態における照明器具を示す斜視図である。
【図２】本発明の実施形態における照明器具を示す分解図である。
【図３】本発明の実施形態における照明器具を示す側面図である。
【発明を実施するための形態】
【０００８】
以下、図１ないし図３を参照して本発明の実施形態について説明する。なお、以下の説明では、本発明の実施形態である照明器具が取付けられる天井等の設置場所方向を背面側と呼び、背面側に対向する照射方向を前面側と呼ぶ。
【０００９】
本発明の実施形態である照明器具は、図１および図２に示すように、略コの字型に形成されたアーム1と、前面−背面方向に延びるアーム1の一対の側板部12，12間に亘って支持固定される筐体状の電源部2と、アーム1の端部に接続されて取付けられる板状の連結部3と、電源部2より前面側に設けられる放熱器4と、連結部3と接続されるとともに背面に放熱器4が設けられる平板状の本体5と、本体5の前面側に設けられ、電源部2から電源を供給されて発光する光源部6と、光源部6からの発光を反射する反射部7と、光源部6および反射部7の前面を覆うように設けられる透光性のカバー部8とを備える。
【００１０】
図１に示すように、アーム1は、例えばアルミや鉄などの金属からなる薄板状部材である。アーム1は、背面側に天井などの設置場所に取付けられる長板状の取付部11を有する。また、アーム1は、取付部11の両端部を延伸させて前面側へ屈曲させたように形成される一対の側板部12を有する。取付部11と側板部12の間に形成される屈曲部分を曲折部13という。
【００１１】
取付部11には前面−背面方向に貫通する孔111が設けられる。天井などの設置場所に本発明の実施形態である照明器具を設置する際、設置場所に固定されている吊りボルトなどをこの孔111背面側から前面側へ貫通させた後、ナットなどの固定部材を取付部11の前面側から前記吊りボルトなどに締め込み、アーム1および照明器具を支持固定する。
【００１２】
一対の側板部12，12は、間に亘って後述の電源部2がネジなどの固定部材（不図示）により接続固定される電源接続部121を有する。電源接続部121は、一方の側板部12において、例えば電源部2の主面（最も面積の広い面）21に平行な線上の２箇所に並べられて設けられる。この主面に平行な線上に設けられる２箇所の電源接続部121は、他方の側板部12においても対向する位置に設けられ、図１および図２における実施形態では、合計４箇所の電源接続部121において電源部2は側板部12に接続される。
【００１３】
また、電源部2の主面に隣接する面である側面は、電源接続部121に対応する位置にネジなどの固定部材がねじ込まれる孔を有する。
【００１４】
別の実施形態として、電源部2が縦置きされ、電源部2の主面が側板部12の長手方向に平行になるように形成されていた場合、電源接続部121は、電源部2の主面および側板部12の長手方向と平行な線上の2箇所以上に設けられる。
【００１５】
これにより、電源部2は電源接続部121によって安定して側板部12に取付けられるという効果を有する。
【００１６】
また、一対の側板部12，12には、それぞれ電源接続部121より前面側にネジ部材が貫通可能な円形の支点孔122が設けられる。さらに支点孔122より前面側には、支点孔122を中心とした円周上に長孔123がそれぞれ設けられる。
【００１７】
側板部12は、図３に示すように、曲折部13の前面側に幅の狭い狭部124を有する。電源接続部121は、狭部124より前面側に設けられる。
【００１８】
電源部2は、図１に示すように、金属製の略直方体筐体として形成され、図２に示すように、外部電源に接続可能な端子を備える端子部22および後述する光源部6の点灯制御を行う制御基板23を備える。電源部2は、例えば最も面積の広い主面21を前面側と背面側に有する。背面側の主面21の中央付近には、後述の光源部6とコード（不図示）などにより電気的に接続されるためのコード孔24が形成される。
【００１９】
図１および図３に示すように、電源部2の前面−背面方向の長さは、側板部12の前面−背面方向の長さよりも短く形成される。具体的には、電源部2の背面主面は、アーム1の取付部11との間に空間を有し、アーム1の取付部11を設置場所に取り付ける際、孔111にネジなどの固定部材を取付ける施工が可能なように取付けられる。
【００２０】
本発明の実施形態において、図３に示すように、電源部2の側面は、側板部12側の側面から見て、少なくとも一部が狭部124に重なる位置に設けられる。
【００２１】
また、図１に示すように、電源部2の一対の側板部12，12間における長さは、一対の側板部12，12間とほぼ同じ長さに形成される。また、電源部2の一対の側板部12，12間方向に水平に直交する方向の長さは、後述する連結部3を長孔123に沿って少なくとも30度搖動させた際に放熱器4と接触しないとともに、側板部12の幅よりも長い長さに形成される。
【００２２】
別の実施形態として、電源部2の側板部12，12間への取付けられ方は、電源接続部121と新たな接続部材を介して電源部2の側面が取付けられるものであってもよい。その際、電源部2の側板部12，12間における長さは、側板部12，12間の距離よりも短い。新たな接続部材と電源部2を合わせた側板部12，12間における長さが側板部12，12間距離と略同一であればよく、この構成によってアーム1の外部からの衝撃に対する強度の向上が見込める。
【００２３】
連結部3は、例えば略L字状の金属製の薄板として形成され、前面側が後述する本体5と接続されるとともに、背面側へ延出するように設けられる。一対の連結部3は、アーム1の一対の側板部12，12と接続可能な互いに対向する位置にそれぞれ設けられる。
【００２４】
連結部3は、アーム1と本体5を接続する部材である。
【００２５】
連結部3は、アーム1の支点孔122および長孔123に対応する背面側連通孔31および前面側連通孔32を有する。背面側連通孔31および前面側連通孔32はそれぞれ円形に形成される。背面側連通孔31は支点孔122とともに、前面側連通孔32は長孔123とともにネジなどの固定部材を挿通されることで、アーム1と連結部3を接続固定する。
【００２６】
図１に示すように、一対の連結部3，3は、側板部12，12より内側に配設される。
【００２７】
放熱器4は、本体5の背面側に突出するように並列して設けられる複数の略長方形に形成された放熱性に優れた金属板であるフィンなどからなる。これらの複数のフィンは、長手方向と短手方向を有し、長手方向がアーム1の取付部11の延伸方向および側板部12の延伸方向とそれぞれ直交するように設けられる。
【００２８】
また、図３に示すように、フィンの長手方向長さは、電源部2の側板部12と接続される側面における主面と平行な辺の長さよりも長く形成される。これにより、連結部3を長孔123に沿って搖動させても放熱器4と電源部2が衝突することを防止できるとともに、放熱器4の背面側への気流が妨げられず、照明器具の放熱性を向上できる。
【００２９】
本体5は、放熱器4の前面側に熱的に接続される。本体5は、放熱器4と一体として形成されてもよいし、別体として接続部剤を用いて接続されてもよい。また、本体5と放熱器4または本体5と光源部6は、熱伝導性に優れた金属部材やグリスなどを介して接続されてもよい。本体5は、ネジなどの固定部材（不図示）によって連結部3と接続される。なお、連結部3は、本体5と一体として形成されていてもよく、その際の連結部3は、略L字状でなく、本体5の背面側から突出して設けられてもよい。
【００３０】
図２に示される光源部6は、板状の本体5の前面側に設けられるLED（Light Emitting Diode）などの発光素子を複数備えた基板である。光源部6は、電源部2と電気的に接続され、電源を供給されると発光する。
【００３１】
図２に示される反射部7は、光源部6からの発光を反射制御する部材として設けられる。例えば反射部7は、光源部6の複数の発光素子を囲える内径の樹脂製筒状筐体として形成され、筒状筐体の内周に鏡面部を有し、複数の発光素子からの発光を反射して反射部7前面側へ照射させる。反射部7は、複数の筒状筐体から形成されていてもよいし、光源部6の基板周囲を囲むように設けられる鏡面部材であってもよい。
【００３２】
カバー部8は、ガラスや樹脂などの透光性を有する部材として形成される。カバー部8は反射部7および光源部6の前面と側面を覆うように形成され、前面または側面側からネジ留めなどにより光源部6の基板に固定される。
【００３３】
従来、電源部2を照明器具に取り付けるためには、本体5および放熱器4の背面側に電源設置用の台座フレームを設け、そこに電源部2を取付けていた。しかしながら高所に取り付けることを目的とした高天井器具などの照明器具では器具の軽量化が求められていた。
【００３４】
本発明の実施形態である照明器具は、電源部2をアーム1の一対の側板部12，12に接続することにより、部品数の削減と軽量化を可能にした。
【００３５】
また、本発明の実施形態である照明器具は、軽量化のためアーム1自体が細く形成されるが、一対の側板部12，12の先端部は、一対の連結部3，3が内側にあることによって支持され、照明器具の外側からの衝撃によって変形することを抑止できる。
【００３６】
そして、本発明の実施形態である照明器具において、アーム1の一対の側板部12，12間に亘って電源部2が接続されることにより、一対の側板部12，12は外側からの衝撃によって変形し難く、強度の高い構成となる。なお、アーム1が図１に示すような狭部124を有する場合、電源部2の側面の少なくとも一部が狭部124と重なるように設けられることにより、狭部124によって側板部12の軽量化を図るとともに、周囲より細く形成される一対の狭部124，124の補強を電源部2によって行うことができる。
【００３７】
また、一対の側板部12，12間に亘って取付けられる電源部2は、光源部6の点灯制御装置とアーム1の補強部材を兼ねるため、必要最低限の部材で照明器具の強度を向上させることができる。つまり、本発明の実施形態によれば、部品を追加することなく安価な方法で照明器具の軽量化およびアーム1の強度向上を図ることができる。
【００３８】
本発明のいくつかの実施形態を説明したが、これらの実施形態は例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３９】
1…アーム
11…取付部
111…孔
12…側板部
121…電源接続部
122…支点孔
123…長孔
124…狭部
13…曲折部
2…電源部
21…主面
22…端子部
23…制御基板
24…コード孔
3…連結部
31…背面側連通孔
32…前面側連通孔
4…放熱器
5…本体
6…光源部
7…反射部
8…カバー部
【図１】
2019029214.tif 000003
【図２】
2019029214.tif 000004
【図３】
2019029214.tif 000005